(57)【要約】【課題】ペットボトル等の他に、口部の大きさが一定でない紙パック等の容器も安定に支持することができる容器支持台を提供する。【解決手段】倒立した容器１０の口部１０ａを挿入して支持する縦姿勢の棒状体２を備え、棒状体２は、上端が開放された長手方向のスリット２ａと、側方へ突出した受け部２ｃとを有し、受け部２ｃは、上端が開放された上下方向のスリット２ｃ１を有し、棒状体２の外周に、受け部２ｃの上端の高さよりも低い位置から棒状体２の上端に至る縦長の凹部２ｂを有し、棒状体２の下部は、他物に固着可能な吸盤３を備えている。紙パックを支持させる場合、倒立した紙パック１１の口部１１ａの側壁を棒状体２の長手方向のスリット２ａに上側から挿入して支持させる。ペットボトルの場合は、倒立したペットボトルの口部を棒状体２に上側から挿入して支持させる。【選択図】図７
2013108679.tif 000002
【特許請求の範囲】
【請求項１】
倒立した容器の口部を挿入して支持する縦姿勢の棒状体を備えた容器支持台において、
前記棒状体は、上端が開放された長手方向のスリットを有することを特徴とする容器支持台。
【請求項２】
前記棒状体は、側方へ突出した受け部を有することを特徴とする請求項１に記載の容器支持台。
【請求項３】
前記受け部は、上端が開放された上下方向のスリットを有することを特徴とする請求項２に記載の容器支持台。
【請求項４】
前記棒状体の外周に、前記受け部の上端の高さよりも低い位置から前記棒状体の上端に至る縦長の凹部を有することを特徴とする請求項１から３の何れか１項に記載の容器支持台。
【請求項５】
前記棒状体の下部は、他物に固着可能な固着部を備えていることを特徴とする請求項１から４の何れか１項に記載の容器支持台。
【請求項６】
前記固着部は吸盤であることを特徴とする請求項５に記載の容器支持台。
【発明の詳細な説明】
【技術分野】
【０００１】
本発明は、ペットボトルや紙パック等の容器を洗浄した後、水切り乾燥させる際に使用する容器支持台に関する。
【背景技術】
【０００２】
従来、倒立したペットボトルの口部を挿入して支持できるように、ペットボトルの口部の内径より小さい外径の棒状体を板状ベース上に縦姿勢に保持した水切り乾燥スタンドが公知である（特許文献１参照）。
【先行技術文献】
【特許文献】
【０００３】
【特許文献１】特開２００２−２９１６２９号公報
【発明の概要】
【発明が解決しようとする課題】
【０００４】
特許文献１に記載のボトルスタンドでは、口部の大きさが一定であるペットボトルについては安定に支持することができる。しかし、牛乳パックなどの紙パックは端部を手で押し広げて口部を形成するので口部の大きさが一定にならず、棒状体の外径に対して大き過ぎる口部を棒状体に通した場合に姿勢が安定しないという問題がある。
【０００５】
本願発明は、上述したような事情に鑑みてなされたものであり、口部の大きさが一定でない紙パック等の容器も安定に支持することができる容器支持台を提供することを目的とする。
【課題を解決するための手段】
【０００６】
本発明に係る容器支持台は、倒立した容器の口部を挿入して支持する縦姿勢の棒状体を備えた容器支持台において、前記棒状体は、上端が開放された長手方向のスリットを有することを特徴とする。
本発明においては、倒立した容器の口部を縦姿勢の棒状体に上側から挿入して支持させる。また、倒立した容器の口部の側壁を縦姿勢の棒状体が有する上端が開放された長手方向のスリットに上側から挿入して支持させる。
【０００７】
本発明に係る容器支持台は、前記棒状体は、側方へ突出した受け部を有することを特徴とする。
本発明においては、縦姿勢の棒状体に上側から挿入された容器の口部が側方へ突出した受け部に当接して受け止められる。
【０００８】
本発明に係る容器支持台は、前記受け部は、上端が開放された上下方向のスリットを有することを特徴とする。
本発明においては、受け部の上端が開放された上下方向のスリットに容器の蓋（キャップ）等の一部を上側から挿入して支持させる。
【０００９】
本発明に係る容器支持台は、前記棒状体の外周に、前記受け部の上端の高さよりも低い位置から前記棒状体の上端に至る縦長の凹部を有することを特徴とする。
本発明においては、縦姿勢の棒状体に上側から挿入され、受け部で受け止められた容器の口部及び口部より上側の容器内壁と棒状体の外周との間の空間を通じて、容器内壁に付着している水分が外部へ排出される。
【００１０】
本発明に係る容器支持台は、前記棒状体の下部は、他物に固着可能な固着部を備えていることを特徴とする。
本発明においては、棒状体の下部に備えた固着部を他物に固着させる。
【００１１】
本発明に係る容器支持台は、前記固着部は吸盤であることを特徴とする。
本発明においては、吸盤を他物の表面に押し付けて固着させる。
【発明の効果】
【００１２】
本発明によれば、倒立した容器の口部の側壁を縦姿勢の棒状体の上端が開放された長手方向のスリットに挿入して支持させるので、手で押し広げた紙パック等の口部の大きさが一定でない容器も安定に支持することができる容器支持台が提供される。
【００１３】
本発明によれば、縦姿勢の棒状体に挿入された容器の口部が側方へ突出した受け部で受け止められるので、容器が安定した位置で支持される。
【００１４】
本発明によれば、受け部が有する上端開放の上下方向のスリットに容器の蓋（キャップ）等を支持させるので、容器の支持とともに蓋（キャップ）等の支持が可能となる。
【００１５】
本発明によれば、棒状体の外周に設けた縦長の凹部により、容器内の乾燥が促進される。
【００１６】
本発明によれば、棒状体の下部に備えた固着部により、棒状体を他物に固着して倒立姿勢に安定に保持することができる。
【００１７】
本発明によれば、吸盤により棒状体を他物に容易に固着させることができる。
【図面の簡単な説明】
【００１８】
【図１】本発明の実施の形態に係る容器支持台の斜視図である。
【図２】図１に示す容器支持台の本体の正面図である。
【図３】図２に示す容器支持台の本体の平面図である。
【図４】図１示す容器支持台の吸盤の正面断面図である。
【図５】図４に示す吸盤の平面図である。
【図６】容器を支持した状態の容器支持台の正面断面図である。
【図７】容器を支持した状態の容器支持台の正面断面図である。
【発明を実施するための形態】
【００１９】
以下、本発明に係る容器支持台の実施の形態について図面に基づいて説明する。
図１は本発明の実施の形態に係る容器支持台の斜視図、図２は図１に示す容器支持台の本体の正面図、図３は図２に示す容器支持台の本体の平面図、図４は図１に示す容器支持台の吸盤の正面断面図、図５は図４に示す吸盤の平面図、図６及び図７は容器を支持した状態の容器支持台の正面断面図である。
【００２０】
本発明に係る容器支持台１は、外形が略丸棒状である縦姿勢の本体２と、本体２の下部に装着された吸盤３とを備えている。本体２は、上端が開放された長手方向のスリット２ａを有する。スリット２ａは平面視で本体２の丸棒の中心を通る帯状をなし、スリット２ａの底部は本体２の上下高さの略半分の位置にある。
【００２１】
本体２は、下端側に側方へ突出した４つの縦板状の受け部２ｃを有する。４つの受け部２ｃは平面視で互いに９０度をなす回転対称の位置にある。４つの受け部２ｃのうち、対向する１組の受け部２ｃはスリット２ａの方向と一致している。４つの受け部２ｃのうち１つの受け部２ｃは突出方向に延長され、該延長された部分に上端が開放された上下方向のスリット２ｃ１を有する。
【００２２】
本体２は、外周に受け部２ｃの上端の高さよりも低い位置から本体２の上端に至る縦長の４つの凹部２ｂを有する。各凹部２ｂは平面視で隣り合う２つの受け部２ｃの略中間に位置している。
【００２３】
本体２は内部が下端で開放された空洞をなし、下端側で径が大きくなる板材２ｄで構成してある。板材２ｄはポリプロピレン等の硬質の合成樹脂を使用し、一体成形により製作してある。
【００２４】
吸盤３は、縦長の丸棒状をなし上端部が大径に形成された基部３ａと、基部３ａの下端に連なり下側に吸着面３ｂ１を有する円盤状の吸着部３ｂとを備えている。吸盤３は、ウレタンゴム、シリコンゴム、フッ素ゴム等のエラストマー（弾性体）で製作してある。基部３ａの上端部の外径は本体２の内部の空洞の内径より大きい。基部３ａの上端部を本体２の下側の開放部分から空洞内部にスリット２ａの底部に当接するまで挿入することにより、吸盤３が本体２に固定され、容器支持台１が構成される。
【００２５】
次に、図６により容器支持台１にペットボトル１０を支持して乾燥させる操作について説明する。
（１）本体２を縦姿勢とし、下側の吸盤３を流し台等の平坦な部分に押し付けて固着させる。（２）洗浄が終わったペットボトル１０を倒立させ、口部１０ａを本体２の上端から挿入し、口部１０ａの下端を受け部２ｃに当接させる。（３）洗浄が終わったボトルキャップ１０ｂの一部を受け部２ｃのスリット２ｃ１に上側から挿入して引っ掛け支持させる。（４）この状態で時間経過により、ペットボトル１０及びボトルキャップ１０ｂが乾燥される。
【００２６】
次に、図７により牛乳パック等の紙パック１１を支持して乾燥させる操作について説明する。
（１）本体２を縦姿勢とし、下側の吸盤３を流し台等の平坦な部分に押し付けて固着させる。（２）洗浄が終わった紙パック１１を倒立させ、口部１１ａの側壁を本体２のスリット２ａに上端から挿入し、スリット２ａの底部に当接させる。（３）この状態で時間経過により、紙パック１１が乾燥される。
【００２７】
上記の実施の形態では、固着部を吸盤３で構成したが、吸盤の他に、両面に粘着層を形成した粘着テープでもよい。
【符号の説明】
【００２８】
１        容器支持台
２        本体（棒状体）
２ａ      スリット
２ｂ      凹部
２ｃ      受け部
２ｃ１    スリット
３        吸盤（固着部）
１０      ペットボトル（容器）
１０ａ    口部
１１      紙パック（容器）
１１ａ    口部
【図１】
2013108679.tif 000003
【図２】
2013108679.tif 000004
【図３】
2013108679.tif 000005
【図４】
2013108679.tif 000006
【図５】
2013108679.tif 000007
【図６】
2013108679.tif 000008
【図７】
2013108679.tif 000009